(57)【要約】      （修正有）【課題】カレンダー紙の装着が容易で、かつ、薄手の台紙を用いても変形しにくい卓上カレンダーを提供する。【解決手段】正面部材１と、左右の側面部材２と、裏面部材とを有し、該正面部材にカレンダー紙１０を係止した卓上カレンダーであって、前記正面部材の上部の一箇所にカレンダー紙を係止する係止部材４を設け、該係止部材をカレンダー紙に設けられたスリット９に通して一部を丸めて円筒部を形成し、該係止部材の端部を前記正面部材に固定したことを特徴とする卓上カレンダー。【選択図】図３
0003140648.tif 000002
【実用新案登録請求の範囲】
【請求項１】
正面部材と、左右の側面部材と、裏面部材とを有し、該正面部材にカレンダー紙を係止した卓上カレンダーであって、前記正面部材の上部の一箇所にカレンダー紙を係止する係止部材を設け、該係止部材をカレンダー紙に設けられたスリットに通して一部を丸めて円筒部を形成し、該係止部材の端部を前記正面部材に固定したことを特徴とする卓上カレンダー。
【請求項２】
前記円筒部が直径：0.5〜1.5cm、長さ：3.0〜7.0cmであることを特徴とする請求項１に記載の卓上カレンダー。
【考案の詳細な説明】
【技術分野】
【０００１】
本考案は、卓上カレンダーに関する。
【０００２】
例えば、卓上に置いて月単位のカレンダー紙をめくる形式の卓上カレンダーに関する。
【背景技術】
【０００３】
卓上カレンダーに関しては従来から種々の提案がなされている。
【０００４】
例えば、実用新案登録第３１２２５０２号公報（下記特許文献1）や実用新案登録第３１３２１１４号公報（下記特許文献２）には、台紙の上辺部に、この上辺と平行な向きの折曲げ線と、この折曲げ線の両端に、この折曲げ線の長さを延長できる鉤状舌片とを設け、この折曲げ線の下方には、舌片の内側の直線を起点として下方へ延出する一対の切込み線と、この切込み線の先端に横幅の大きい係止フックを設けたリング状綴じ片とを備えることにより、台紙に一端が台紙と連続するように設けたリング状綴じ片によりカレンダー紙葉を綴じてから、綴じ片をリング状に折曲げて、先端の係止フックを台紙の裏側からスリット内を通して表側へ装着できる紙製カレンダーが記載されている。
【０００５】
しかし、この特許文献１や特許文献２に記載されたカレンダーの綴じ片はリング状であるため、多数の綴じ片が必要となるため、カレンダー紙を装着するために多大な労力がかかるという問題点があった。
【０００６】
また、特許文献１や特許文献２に記載されたカレンダーは、カレンダー紙の重さによって変形し易いため、厚さ0.5mm程度の厚手の台紙を使用する必要があり、製造コストが高いという問題点があった。
【特許文献１】実用新案登録第３１２２５０２号公報
【特許文献２】実用新案登録第３１３２１１４号公報
【考案の開示】
【考案が解決しようとする課題】
【０００７】
本考案は、前述のような従来技術の問題点を解決し、カレンダー紙の装着が容易で、かつ、薄手の台紙を用いても変形しにくい卓上カレンダーを提供することを課題とする。
【課題を解決するための手段】
【０００８】
本考案は、前述の課題を解決すべく、カレンダー紙の係止部材を一箇所に設け丸めて円筒状にすることにより、カレンダー紙の装着が容易で、かつ、薄手の台紙を用いても変形しにくい卓上カレンダーを提供するものであり、その要旨とするところは実用新案登録請求の範囲に記載した通りの下記内容である。
（１）正面部材と、左右の側面部材と、裏面部材とを有し、該正面部材にカレンダー紙を係止した卓上カレンダーであって、前記正面部材の上部の一箇所にカレンダー紙を係止する係止部材を設け、該係止部材をカレンダー紙に設けられたスリットに通して一部を丸めて円筒部を形成し、該係止部材の端部を前記正面部材に固定したことを特徴とする卓上カレンダー。
（２）前記円筒部が直径：0.5〜1.5cm、長さ：3.0〜7.0cmであることを特徴とする請求項１に記載の卓上カレンダー。
＜作用＞
（１）および（２）の考案によれば、カレンダー紙の係止部材を一箇所に設け丸めて円筒状にすることにより、カレンダー紙の装着が容易で、かつ、薄手の台紙を用いても変形しにくい卓上カレンダーを提供することができる。
【考案の効果】
【０００９】
本考案によれば、カレンダー紙の係止部材を一箇所に設け丸めて円筒状にすることにより、カレンダー紙の装着が容易で、かつ、厚さ0.2mm程度の薄手の台紙を用いても変形しにくい卓上カレンダーを提供することができるなど、産業上有用な著しい効果を奏する。
【考案を実施するための最良の形態】
【００１０】
本考案を実施するための最良の形態について図１乃至図３を用いて詳細に説明する。
【００１１】
図１乃至図３において、１は正面部材、２は左側面部材、２´は右側面部材、３は左裏面部材、３´は右裏面部材、４は第１の係止部材、５は第２の係止部材、６は第１のスリット、７は第２のスリット、８は第３のスリット、９は第４のスリット、１０はカレンダー紙を示し、同じ要素については同じ番号を付することにより重複した説明を省略する。
【００１２】
図１は、本考案の卓上カレンダーを例示する展開図である。
【００１３】
まず、１枚の台紙から図１に示すような型紙を切り出す。このように１枚の台紙から切り出すことによって、部品点数を少なくすることができるうえ、紙とプラスチックや金属など複数種の素材を用いる必要がないので使用後の分別処理が不要であり、環境への適合性に優れる。
【００１４】
図１に示すように、切り出した型紙には、正面部材１、左右の側面部材２、２´、左右の裏面部材３、３´、および、第１の係止部材４、第２の係止部材５が互いに連接しており、折り目に沿って折り曲げることにより組み立てることができる。
【００１５】
左右の側面部材２、２´、左右の裏面部材３、３´を裏側に折り曲げて、第２の係止部材５を第３のスリット８に差し込むことによって固定することができる。
【００１６】
また、図１に示すように第２の係止部材５の根元部分には切り込みが設けられているので、第３のスリット８に差し込んだ後、切り込み部分がスリットに掛かって外れにくくすることができる。
【００１７】
図２は本考案の卓上カレンダーの組み立て手順を示す図である。
【００１８】
図２に示すように、左右の側面部材２、２´、左右の裏面部材３、３´を裏側に折り曲げるとともに、第１の係止部材４を裏側に折り曲げて、その先端を正面部材１に設けられた第１のスリット６、および、カレンダー紙１０に設けられた第４のスリット９に通した後に、第２のスリット７に差し込むことにより固定することができる。
【００１９】
また、図１および図２に示すように第１の係止部材４の根元部分には切り込みが設けられているので、第２のスリット７に差し込んだ後、切り込み部分がスリットに掛かって外れにくくすることができる。
【００２０】
図３は、本考案の卓上カレンダーの使用状態を示す図である。
【００２１】
本考案の特徴は下記の２点にある。
【００２２】
まず、正面部材１の上部の一箇所に設けられた第１の係止部材４の一部を丸めて図３に示すような円筒部を形成し、この円筒部にカレンダー紙１０を係止することにより、従来のように、多数のリング状の部材が必要ないので、部品点数を著しく削減できるうえ、組み立てが極めて簡単である。
【００２３】
本考案者が試行錯誤の結果、図３に示す円筒部の直径Ｄは0.5〜1.5cm、長さＬは3.0〜7.0cmの範囲が好ましいことを見出した。
【００２４】
まず、円筒部の直径Ｄが0.5cm未満では、第１の係止部材４が通しにくくなる一方で、1.5cmを超えるとカレンダー紙１０がめくりにくくなるうえ、美観を損なうからである。
【００２５】
また、円筒部の長さＬが3.0cm未満では、カレンダー紙１０を左右のバランスを取って支えることができない一方で、7.0cmを超えるとカレンダー紙１０に設けるスリットが長くなり過ぎてカレンダー紙が破断してしまう恐れがあるからである。
【００２６】
つぎに、本考案の卓上カレンダーは、左右の側面部材２、２´を有することによりボックス構造を形成することができるので、カレンダー紙１０の重さを左右の側面部材が支持することにより変形しにくいため、台紙として従来のように厚さ0.5ｍｍ程度の厚紙を用いる必要がなく、厚さ0.2ｍｍ程度の薄紙を用いることができるので素材コストを著しく低減することができる。
【図面の簡単な説明】
【００２７】
【図１】本考案の卓上カレンダーを例示する展開図である。
【図２】本考案の卓上カレンダーの組み立て手順を示す図である。
【図３】本考案の卓上カレンダーの使用状態を示す図である。
【符号の説明】
【００２８】
１  正面部材
２  左側面部材
２´右側面部材
３  左裏面部材
３´右裏面部材
４  第１の係止部材
５  第２の係止部材
６  第１のスリット
７  第２のスリット
８  第３のスリット
９  第４のスリット
１０  カレンダー紙
【図１】
0003140648.tif 000003
【図２】
0003140648.tif 000004
【図３】
0003140648.tif 000005